(57)【特許請求の範囲】
【請求項１】
一方に設けられた通し孔に他方を通して罠用ループが作られるくくり用ワイヤーと、該くくり用ワイヤーが通されて該くくり用ワイヤーに沿って移動できるように配され、該くくり用ワイヤーの前記通し孔を形成する一端部に接して前記罠用ループをくくるように締め付ける締付部材とを備えるくくり罠において、
前記くくり用ワイヤーの中途部が通されると共に該くくり用ワイヤーの他方端側の部位が保持されるように形成された基部材と、
前記くくり用ワイヤーが、前記基部材を通過する部位から前記他方端側の部位の間において掛け回される動滑車と、
前記締付部材と前記基部材との間で前記くくり用ワイヤーが通されて配され、圧縮状態から伸びる際に前記罠用ループをくくるように前記締付部材を押圧する押しコイルバネと、
前記動滑車を、前記罠用ループがくくられる方向へ移動させるように、前記基部材から離れる方向へ付勢する動滑車移動用の弾性部材とを具備することを特徴とするくくり罠。
【請求項２】
前記動滑車移動用の弾性部材が、バネ線材の中途部をつる巻き状に形成し、該バネ線材の一端部に前記基部材が設けられ、該バネ線材の他端部に前記動滑車が設けられているトーションバネであることを特徴とする請求項１記載のくくり罠。
【請求項３】
一方に設けられた通し孔に他方を通して罠用ループが作られるくくり用ワイヤーと、該くくり用ワイヤーが通されて該くくり用ワイヤーに沿って移動できるように配され、該くくり用ワイヤーの前記通し孔を形成する一端部に接して前記罠用ループをくくるように締め付ける締付部材とを備えるくくり罠において、
前記くくり用ワイヤーが掛け回された動滑車と、
該動滑車が収納されて長手方向へ移動できる筒状の内部空間を有する筒状本体と、
該筒状本体の一端を塞ぐように設けられ、前記くくり用ワイヤーを通すと共に該くくり用ワイヤーの他方の端部が保持される一方端基部と、
該筒状本体の他端を塞ぐように設けられた他方端基部と、
前記締付部材と前記一方端基部との間で前記くくり用ワイヤーが通されて配され、圧縮状態から伸びる際に前記罠用ループをくくるように前記締付部材を押圧する押しコイルバネと、
前記動滑車と前記他方端基部との間で前記筒状本体の内部に配され、引っ張り状態から縮む際に前記動滑車を介して前記くくり用ワイヤーを前記筒状本体の内部へ引き込むことで前記罠用ループをくくるように作動する引きコイルバネとを具備することを特徴とするくくり罠。
【請求項４】
前記動滑車が前記筒状本体内を長手方向へスムースに移動できるように、滑車と、該滑車を挟んで回転自在に保持すると共に前記筒状本体の内面によって前記長手方向の移動が案内される滑車枠部とを備えた動滑車を具備することを特徴とする請求項３記載のくくり罠。
【請求項５】
前記押しコイルバネを収納する筒状の押しコイルバネ収納部材を具備することを特徴とする請求項１〜４のいずれかに記載のくくり罠。
【発明の詳細な説明】
【技術分野】
【０００１】
この発明は、一方に設けられた通し孔に他方を通して罠用ループが作られるくくり用ワイヤーと、そのくくり用ワイヤーが通されてそのくくり用ワイヤーに沿って移動できるように配され、そのくくり用ワイヤーの前記通し孔を形成する一端部に接して前記罠用ループをくくるように締め付ける締付部材とを備えるくくり罠に関する。
【背景技術】
【０００２】
機能性の高いくくり罠としては、一方に設けられた通し孔に他方を通して罠用ループが作られるワイヤー状のくくり部部材と、該くくり部部材の前記通し孔を形成する一端部に接して前記罠用ループを小さくするように締め付ける締付部材と、該締付部材を稼働させるように力を与えるスプリング状の撥ね上げ部材とを備え、前記くくり部部材を前記撥ね上げ部材の力によって獣足をくくるように締め付けるくくり罠において、掘削された土中に埋められる枠状に設けられた本体外枠と、該本体外枠の上部外周を取り巻いて上側に張り出した縁状に設けられた本体外枠上部保護材と、前記本体外枠の内周に嵌まって上下方向へ移動可能に枠状に設けられると共に内部に踏み板が固定されて設けられ、上部外周が、罠を設置するときには前記くくり部部材が前記撥ね上げ部材の力に抗して前記罠用ループを作るように嵌められた状態に保持される部位になると共に、前記踏み板が踏み込まれることに伴って下降したときには前記くくり部部材が前記本体外枠の上端面によって下降を阻止されて外れる部位になるように設けられている本体中枠と、前記くくり部部材が、前記本体外枠の上端面、前記本体外枠上部保護材の内周面、及び前記本体中枠の上部外周面によって囲まれて設置される部位を含め、上部を覆う上部覆い材とを具備する（特許文献１、２参照）ものが、先に本出願人によって提案されている。これによれば、仕掛けが大掛かりにならず、撥ね上げ部材を弱いものにした場合でも、獣足のくくりをより確実にすることができる。
【０００３】
このくくり罠においては、くくり用ワイヤーとスプリング状の撥ね上げ部材（本実施形態では以下「押しコイルバネ」という。）とを構成要素とするもので、圧縮したスプリングが伸長する際の力を利用する。つまり、一本の押しコイルバネの反発力を利用して獣足をくくり、締め付けている。
【０００４】
このような構成のくくり罠においては、罠用ループをより速く縮径させてくくるためには、作動時に押しコイルバネの力が強くなければならず、このくくり罠をセットする際に大きな力を要して作業を行いにくい。そして、この押しコイルバネのみを利用して罠用ループをくくるくくり罠では、くくりに要する時間を短縮することに構造的な限界があった。
【先行技術文献】
【特許文献】
【０００５】
【特許文献１】特許第４６０３６１６号公報（請求項１、第１図）
【特許文献２】特許第４７６３０９６号公報（請求項１、第１図）
【発明の概要】
【発明が解決しようとする課題】
【０００６】
くくり罠に関して解決しようとする問題点は、従来のくくり罠が押しコイルバネのみによって罠用ループをくくるため、くくりスピードを高めることについては構造的な限界がある点にある。
【０００７】
そこで本発明の目的は、仕掛けが大掛かりにならず、罠用ループをより素早くくくることができるくくり罠を提供することを目的とする。
【課題を解決するための手段】
【０００８】
本発明は、上記目的を達成するために次の構成を備える。
本発明に係るくくり罠の一形態によれば、一方に設けられた通し孔に他方を通して罠用ループが作られるくくり用ワイヤーと、該くくり用ワイヤーが通されて該くくり用ワイヤーに沿って移動できるように配され、該くくり用ワイヤーの前記通し孔を形成する一端部に接して前記罠用ループをくくるように締め付ける締付部材とを備えるくくり罠において、前記くくり用ワイヤーの中途部が通されると共に該くくり用ワイヤーの他方端側の部位が保持されるように形成された基部材と、前記くくり用ワイヤーが、前記基部材を通過する部位から前記他方端側の部位の間において掛け回される動滑車と、前記締付部材と前記基部材との間で前記くくり用ワイヤーが通されて配され、圧縮状態から伸びる際に前記罠用ループをくくるように前記締付部材を押圧する押しコイルバネと、前記動滑車を、前記罠用ループがくくられる方向へ移動させるように、前記基部材から離れる方向へ付勢する動滑車移動用の弾性部材とを具備する。
【０００９】
本発明に係るくくり罠の一形態によれば、前記動滑車移動用の弾性部材が、バネ線材の中途部をつる巻き状に形成し、該バネ線材の一端部に前記基部材が設けられ、該バネ線材の他端部に前記動滑車が設けられているトーションバネであることを特徴とすることができる。
【００１０】
本発明に係るくくり罠の一形態によれば、一方に設けられた通し孔に他方を通して罠用ループが作られるくくり用ワイヤーと、該くくり用ワイヤーが通されて該くくり用ワイヤーに沿って移動できるように配され、該くくり用ワイヤーの前記通し孔を形成する一端部に接して前記罠用ループをくくるように締め付ける締付部材とを備えるくくり罠において、前記くくり用ワイヤーが掛け回された動滑車と、該動滑車が収納されて長手方向へ移動できる筒状の内部空間を有する筒状本体と、該筒状本体の一端を塞ぐように設けられ、前記くくり用ワイヤーを通すと共に該くくり用ワイヤーの他方の端部が保持される一方端基部と、該筒状本体の他端を塞ぐように設けられた他方端基部と、前記締付部材と前記一方端基部との間で前記くくり用ワイヤーが通されて配され、圧縮状態から伸びる際に前記罠用ループをくくるように前記締付部材を押圧する押しコイルバネと、前記動滑車と前記他方端基部との間で前記筒状本体の内部に配され、引っ張り状態から縮む際に前記動滑車を介して前記くくり用ワイヤーを前記筒状本体の内部へ引き込むことで前記罠用ループをくくるように作動する引きコイルバネとを具備する。
【００１１】
また、本発明に係るくくり罠の一形態によれば、前記動滑車が前記筒状本体内を長手方向へスムースに移動できるように、滑車と、該滑車を挟んで回転自在に保持すると共に前記筒状本体の内面によって前記長手方向の移動が案内される滑車枠部とを備えた動滑車を具備することを特徴とすることができる。
【００１２】
また、本発明に係るくくり罠の一形態によれば、前記押しコイルバネを収納する筒状の押しコイルバネ収納部材を具備することを特徴とすることができる。
【００１３】
本発明によれば、一例として、掘削された土中に埋められる枠状に設けられた本体外枠と、前記本体外枠の内周にすり合わせ状態で嵌まって上下方向へ移動可能に枠状に設けられると共に内部に踏み板が固定されて設けられ、上部外周が、罠を設置するときには前記くくり用ワイヤーが前記押しコイルバネの力に抗して前記罠用ループを作るように嵌められた状態に保持される部位になると共に、前記踏み板が踏み込まれることに伴って下降したときには前記くくり用ワイヤーが前記本体外枠の上端面によって下降を阻止されて外れる部位になるように設けられている本体中枠とを具備するくくり罠に適用できる他、他の構成のくくり罠にも好適に適用することができる。
【発明の効果】
【００１４】
本発明に係るくくり罠によれば、仕掛けが大掛かりにならず、罠用ループをより素早くくくることができるという特別有利な効果を奏する。
【図面の簡単な説明】
【００１５】
【図１】本発明に関連するくくり罠の形態例を示す分解斜視図であり、図中Ａは撥ね上げ装置くくり部の組み上がり状態を示す斜視図である。
【図２】図１に示す形態例の本体外枠に付随する部材の組み上がりと布設状態を示す断面図である。
【図３】図１に示す形態例の本体中枠の踏み板の上に覆い部材を敷いて土を入れ、そくくり用ワイヤーや撥ね上げ部材をセットするように、本体外枠の内部に本体中枠を中途まで入れた状態を示す断面図である。
【図４】本体外枠に合わせて本体中枠を沈め、本体外枠上部保護材部に沿って覆い部材を切って上をカムフラージュし、本発明に係る形態例のくくり罠をセットした状態を示す断面図である。
【図５】本発明に関連する形態例のくくり罠の各部材の設置時と稼働時を示した断面図であり、実線は稼働前の状態を示し、点線は稼働時の状態を示す。
【図６】本発明に関連する形態例のくくり罠がくくり部先端跳ね上げ部材及び回動作動部材を備えた形態例を示す断面図である。
【図７】図６の形態例に用いられているくくり部先端跳ね上げ部材及び回動作動部材の形態例を示す斜視図である。
【図８】図７の形態例のセットをするときの配設形態を示す側面図である。
【図９】図７の形態例の回動作動状態を示す側面図である。
【図１０】本発明に係るくくり罠の形態例を示す断面図である。
【図１１】図１０の形態例の作動状態を示す断面図である。
【図１２】本発明に係るくくり罠の動滑車をくくり用ワイヤーと引きコイルバネに取り付ける状態を示す分解斜視図である。
【図１３】本発明に係るくくり罠の動滑車が筒状本体に収容された状態を示す断面図である。
【図１４】本発明に係るくくり罠をセットした状態を示す断面図である。
【図１５】本発明に係る動滑車移動用の弾性部材のトーションバネを構成要素とする形態例を示す斜視図である。
【図１６】図１５の形態例を別方向から見た斜視図である。
【図１７】本発明に係る罠用ループをセットする工程を示す斜視図である。
【図１８】図１７の工程に次いで、図１５及び１６に示した形態例の基部材をセットする工程を示す斜視図である。
【図１９】図１８の工程に次いで、図１５及び１６に示した形態例の動滑車に、くくり用ワイヤーを掛け回してセットする工程を示す斜視図である。
【図２０】図１８の工程に次いで、図１５及び１６に示した形態例のトーションバネを圧縮し、くくり用ワイヤーの他方端側の部位を基部材に保持させる最終的なセット工程を示す斜視図である。
【発明を実施するための形態】
【００１６】
以下、本発明に係るくくり罠の構成を利用することができる本発明に関連するくくり罠の形態例を添付図面１〜９に基づき詳述する。
このくくり罠の形態例は、一方に設けられた通し孔に他方を通して罠用ループ１４ａが作られるくくり用ワイヤー１４と、くくり用ワイヤー１４が通されてくくり用ワイヤー１４に沿って移動できるように配され、くくり用ワイヤーの通し孔を形成する一端部１４ｂに接して罠用ループ１４ａをくくるように締め付ける締付部材１５と、その締付部材１５を稼働させるように力を与える押しコイルバネ１７とを基本構成として備え、くくり用ワイヤー１４を押しコイルバネ１７の力によって獣足をくくるように締め付けるくくり罠になっている。
【００１７】
なお、この形態例は、以下に説明する本体中枠３の上部外周を用いて罠用ループ１４ａが作られるが、本発明に係るくくり罠はこれに限定されず押しコイルバネ１７の力に抗して罠用ループ１４ａが作られて保持される各種のくくり罠に用いられる。すなわち、くくり用ワイヤー１４をループ状に広げて固定しておいて踏み板が半割れに割れて降下することにより、また下方から罠用ループ１４ａを押し上げることなどによって罠用ループ１４ａの固定状態が解除され、くくり部が縮径する各種の装置に用いることが可能である。
【００１８】
１３は本体外枠であり、掘削された土中に埋められる枠状に設けられている。
１２は本体外枠上部保護材部であり、本体外枠１３の上部外周を取り巻いて上側に張り出した縁状に設けられている。本形態例の本体外枠上部保護材部１２は、本体外枠１３とは別部品に構成されて、ピン状の固定部材（図５参照）によって本体外枠１３に固定されているが、これに限定されず、本体外枠１３と一体的に形成してもよいのは勿論である。本体外枠１３と本体外枠上部保護材部１２とは、例えば樹脂成型によって容易に一体成形できる。
【００１９】
３は本体中枠であり、本体外枠１３の内周にすり合わせ状態で嵌まって上下方向へ移動可能に枠状に設けられる。これにより、本体外枠１３の内周面にガイドされて好適に上下方向に移動でき、比較的大きな荷重が付加された場合でも好適に作動できる。
また、この本体中枠３の内部には、踏み板４が固定されて設けられている。本形態例の本体中枠３は、図示しないピン状の固定部材によって踏み板４を本体中枠３に固定する形態になっているが、これに限定されず、本体中枠３と踏み板４とを一体的に形成することで、本体中枠３に踏み板４が固定された形態にしてもよいのは勿論である。本体中枠３と踏み板４とは、例えば樹脂成型によって容易に一体成形できる。
そして、この本体中枠３の上部外周が、罠を設置するときにはくくり用ワイヤー１４が押しコイルバネ１７の力に抗して罠用ループ１４ａを作るように嵌められた状態に保持される部位になると共に、踏み板４が踏み込まれることに伴って下降したときにはくくり用ワイヤー１４が本体外枠１３の上端面によって下降を阻止されて外れる部位になるように設けられている。
【００２０】
１は上部覆い材であり、くくり用ワイヤー１４が、本体外枠１３の上端面、本体外枠上部保護材部１２の内周面、及び本体中枠３の上部外周面によって囲まれて設置される部位を含め、本くくり罠の上部を覆うように配されている。この上部覆い材１としては、水を通さない樹脂製の薄いシート状材を用いればよい。
【００２１】
このくくり罠の一形態によれば、本体外枠１３上部に付随する本体外枠上部保護材部１２と本体中枠３によって、くくり用ワイヤー１４を挟み、罠上部全体を上部覆い材１で覆うこと（図４参照）で、くくり用ワイヤー１４をほぼ完全に外部から隔離することができる。このため、寒冷時でも、ワイヤー状のくくり用ワイヤー１４に土その他の異物が付着することが無く、くくり用ワイヤー１４の撥ね上がり動作に影響を与えない。このため、安定的に作動でき、作動の確実性を高めるために、より強力なスプリング（弾性部材）を要しない。
【００２２】
従って、このくくり罠によれば、構成が簡単且つ小型で、押しコイルバネを弱いものにした場合でも、獣足のくくりをより確実にすることができる。
なお、上部覆い部材１は、踏み板４の上の土の重さによって保持・設置されるが、くくり用ワイヤー１４の撥ね上がり時には、本体中枠３の踏み板４と共に本体外枠１３の中に移動し、くくり用ワイヤー１４の撥ね上がり動作には影響を与えない。
【００２３】
また、２はくくり部先端跳ね上げ部材であり、くくり用ワイヤー１４が押しコイルバネ１７稼働時に急激な上昇によりおこるくくり用ワイヤー１４の先端（罠用ループ１４ａの先端部）が垂れ下がって輪にならないことを防ぐために配設されている。
このくくり部先端跳ね上げ部材２は、くくり用ワイヤー１４（罠用ループ１４ａ）の先端側半分が嵌められる本体中枠３の形状に対応して半円状（半ループ状）に形成され、両端部２ｂ、２ｂが本体中枠３の上部に回動自在に軸止されて設けられ、その半円状（半ループ状）の中ほどにくくり用ワイヤー１４の先端（罠用ループ１４ａの先端部）への引っかかり部２ａを有する。本形態例では、くくり部先端跳ね上げ部材２の中途部に突起した部分が引っかかり部２ａになっており、その引っかかり部２ａが、罠がセットされる際に、くくり用ワイヤー１４の罠用ループ１４ａの先端にあたる部分に上側から覆う状態に接している。
【００２４】
このくくり部先端跳ね上げ部材２によれば、くくり用ワイヤー１４（罠用ループ１４ａ）が押しコイルバネ１７の稼働により上昇すると同時に半円状（半ループ状）の両端部２ｂ、２ｂの軸止部２ｂ’を中心としてくくり用ワイヤー１４（罠用ループ１４ａ）に途中まで引っかかった状態で回動されてくくり用ワイヤー１４（罠用ループ１４ａ）の先端側を案内して上昇させるように作動する。すなわち、くくり用ワイヤー１４の罠用ループ１４ａが小さくなるように作動すると共に上昇するように作用する押しコイルバネ１７の弾性力によって、そのくくり用ワイヤー１４に引っかかり部２ａを介して引っ掛かっているくくり部先端跳ね上げ部材２の中途部が撥ね上げられるようにして回動する。
このくくり部先端跳ね上げ部材２の動作によれば、くくり用ワイヤー１４（罠用ループ１４ａ）との引っかかりが外れるまで、そのくくり用ワイヤー１４を張って罠用ループ１４ａが保持できるようにくくり用ワイヤー１４（罠用ループ１４ａ）の先端を適切に上昇させるように案内し、くくり用ワイヤー１４（罠用ループ１４ａ）が下方へ反って丸まってしまうように挙動することを防止できる。
【００２５】
これによれば、本体中枠３の踏み板４を獣が踏み落とすことにより、くくり用ワイヤー１４が押しコイルバネ１７により急激に上昇を始め、その時にくくり用ワイヤー１４の先端は慣性によって垂れ下がり、獣の足が少しでも踏み板から浮いて居ればくくらないという現象を極力少なくすことができ、くくりの確実性を向上できるように、くくり用ワイヤー１４の先端をくくり用ワイヤー１４の全体が上昇すると共に上に適切な形態で移動させることができる。
【００２６】
また、一対の挟み部材６、７は、くくり用ワイヤー１４の撥ね上がり速度を補う機構であって、獣の体重移動により本体中枠３の踏み板４に十分な加重が掛かった時に一気にその踏み板４が落下し、その踏み板４と同時に落下する獣足を確実にくくるように、踏み板４の下部に設置された板状の踏み込み部材５を挟んで十分な加重がかかったときに押し開かれて踏み板４の下降を一気に許容するように設けられている。
【００２７】
罠を獣が踏んで踏み板４が即下降を起せば、獣が機敏に反応し足を挙げ、罠のくくり速度が追いつかず獣足をくくらない現象（以後空跳ねと言う）を起す。特に安全を重視する本発明に係るくくり罠は、押しコイルバネ１７のスプリング力を最小限としているため、くくり部を撥ね上げる速度は遅い。
そこで本形態例では、それを補う為に獣が踏み板４を踏んでも即下降せず、獣が移動のため踏み足に十分な加重が掛かった時、踏み板４に設置された踏み込み部材５が第１の挟み部材６と第２の挟み部材７の間を押し開き、一気に踏み板４と獣の踏み足が落下するようにしている。そして、くくり部先端撥ね上げ部材２の動きと、締付部材用案内部材１６の総合した稼動で獣足のくくりをほぼ完璧なものにしている。
【００２８】
本体外枠１３に取り付けられた一対の板状の挟み部材６、７による締付力を、ボルト８、スプリング９、ワッシャー１０、ナット１１から構成される締め付け調節部によって加減することによれば、ある態度、捕獲獣を種別することもできる。すなわち、例えばナット１１を強く締め付けることで、挟み部材６、７による締付力を高め、より大型の獣に対応することができる。
【００２９】
１６は締付部材用案内部材であり、筒状であって、くくり用ワイヤー１４及び締付部材１５を押しコイルバネ１７の稼働時により高位置に押し上げるため、その締付部材１５の押し上げを案内するように、くくり用ワイヤー１４を通し、押しコイルバネ１７の中に納められて配されていると共にその押しコイルバネ１７を介して筒状の押しコイルバネ収納部材１８に納められている。
この機構によって、締付部材１５を締付部材用案内部材１６によって適切に案内して適切な方向へ押し上げることができ、くくり用ワイヤー１４を適切な方向で且つ高位置へ押し上げることができる。
【００３０】
これによれば、罠の踏み板４が下降すると同時にくくり用ワイヤー１４の罠用ループ部１４ａと共に締付部材１５が上昇するが、くくり用ワイヤー１４及び締付部材１５の両部材自体の重さや、くくり部先端撥ね上げ部材２による引っ掛かりによって、くくり用ワイヤー１４の先端が高所に達することなく、くくってしまうことを防ぐことができる。すなわち、獣の素早く上げようとする足を、くくり部先端撥ね上げ部材２と締付部材用案内部材１６が合い総合し、より高位置で獣足をくくることができる。
【００３１】
このくくり罠の形態例は、安全性を最も重視し、くくり用ワイヤー１４を締め付ける押しコイルバネ１７は限界まで弱いものにしたが、この形態例の各部材の稼動によって獣足のくくりを確実にし、大幅に捕獲率を上げることができた。
また、この形態例の罠を覆う上部覆い材１による効果は大きく、くくり用ワイヤー１４を好適に保護すると共に、掘削箇所から発散する草木の根切断や新しい土の匂いを少なくできる効果がある。これによれば、警戒心と共に臭いにも敏感に反応する獣捕獲にも効果が大きい。
【００３２】
上述したようにこの形態例は罠使用者の安全性を第一にはかり、小型化と軽量化につとめ獣道を多く破壊することなく設置範囲が極めて狭いため、設置場所に左右されることが極めて少ない。また、罠の本体上部を上部覆い材１で覆い、くくり用ワイヤー１４を隔離保護することで、寒冷地においても使用可能にした。さらに、くくり部先端撥ね上げ部材２及び踏み板４の落とし込み機構、跳ね上げの案内等の各部材が総合し作動することで獣捕獲の効率を飛躍的に高めることができた。
【００３３】
次に、図６〜９に基づいて、押しコイルバネ１７の作動力を梃子の原理を利用して伝達することで、くくり部先端跳ね上げ部材２を素早く強制的に回動させるように、回動作動部材２０が設けられたくくり罠の形態例について説明する。
【００３４】
この回動作動部材２０は、罠用ループ１４ａの後端側半分が嵌められる本体中枠３の形状に対応して半ループ状に形成され、両端部２０ｂが本体中枠３の上部に回動自在に軸止されて設けられ、半ループ状の中ほどに罠用ループ１４ａの後端部への引っかかり部２０ａを有し、罠用ループ１４ａが押しコイルバネ１７稼働によって上昇する際に、引っかかり部２０ａに作用する力によって半ループ状の軸止部２０ｂ’を中心として回動され、その半ループ状の両端部の延長部２０ｃが、くくり部先端跳ね上げ部材２の両端部の延長部２ｃに当接して押し下げることで、そのくくり部先端跳ね上げ部材２を梃子の原理で回動させるように設けられている。
これによれば、くくり部先端跳ね上げ部材２を強制的に回動でき、罠用ループ１４ａを先端部が垂れ下がらないように確実且つ適切に押し上げることができる。
【００３５】
回動作動部材２０の軸止部２０ｂ’と延長部の当接部２０ｃ’との間の長さが、くくり部先端跳ね上げ部材２の軸止部２ｂ’と延長部の被当接部２ｃ’との間の長さよりも長くなるように設けられている。
これによれば、回動作動部材２０の回動角度に対してくくり部先端跳ね上げ部材２の回動角度が大きくなり、罠用ループ１４ａの先端側がより素早く押し上げられる。従って、罠用ループ１４ａを適切に上方へ撥ね上げることができ、獣足をより確実にくくることができる。
【００３６】
くくり部先端跳ね上げ部材２の引っかかり部２ａは、ワイヤー状のくくり用ワイヤー１４（罠用ループ１４ａの先端部）の上下両方に引っかかるように、上下に設けられている。下側の引っかかり部２ａ’が、くくり用ワイヤー１４（罠用ループ１４ａの先端部）を確実に押し上げるように作用する。なお、この形態例の引っかかり部２ａ、２ａ’及び引っかかり部２０ａが設けられた部位は、本体中枠３の上縁部に切り欠かれて設けられた凹状部分に嵌まった状態にセットされるようになっている。
【００３７】
次に、図１０〜１３に基づいて、以上のくくり罠の形態例にも好適に適用できるように設けられた本発明に係るくくり罠の形態例について説明する。なお、図１〜９に記載されたくくり罠の形態例の構成と同様の構成については同一の符号を付して説明を省略する。
本形態例では、押しコイルバネ１７の作動と引きコイルバネ３４の作動とが相俟って罠用ループ１４ａを素早くくくることができる。
【００３８】
図１０に示すように、本発明に係るくくり罠の形態は、罠用ループ１４ａを形成するくくり用ワイヤー１４が掛け回された動滑車３０が収納されて長手方向へ移動できる筒状の内部空間を有する筒状本体３１を備えている。この筒状本体３１には、押しコイルバネ収納部材１８に接する側の一端を塞ぐように設けられ、くくり用ワイヤー１４を通すと共にくくり用ワイヤー１４の他方の端部が保持される一方端基部３２と、筒状本体３１の他端を塞ぐように設けられた他方端基部３３とが設けられている。
【００３９】
一方端基部３２は、押しコイルバネ収納部材１８と接してくくり用ワイヤー１４を通す一方端基部３２の外側が斜面に形成されている。これにより、押しコイルバネ収納部材１８の配置向きの自由度を高めている。なお、押しコイルバネ収納部材１８についても、配置向きの自由度を高めるため一方端基部３２と接する部分が凸湾曲面に形成されている。また、締結部材１５を押しコイルバネ収納部材１８の開口部を塞ぐキャップのように形成して土中の押しコイルバネ１７に影響をもたらさないようにすることができる。
【００４０】
他方端基部３３は、後述する引きコイルバネ３４に連結されて引きコイルバネ３４を固定する固定部材３５を設けた外部連結部材３４０が通る外部連結部材用孔３３０を備えている。この外部連結部材３４０は、ワイヤーなどの強固な紐状体によって構成され、その後端は立木等に結びつけられ、これにより本発明に係るくくり罠が固定される。
【００４１】
一方端基部３２と他方端基部３３との間には動滑車３０と引きコイルバネ３４が収納されている。
動滑車３０は、くくり用ワイヤー１４が掛け回される滑車３０１と、滑車３０１を挟んで回転自在に保持すると共に筒状本体３１の内面によって長手方向の移動が案内される滑車枠部３０２とを備えている。
【００４２】
動滑車３０に掛け回されたくくり用ワイヤー１４の他方の端部は、一方端基部３２に筒状本体３１の内側から外側へ通され、一方端基部３２に他方の端部に固定された抜け止め部材２９によって保持されている。一方端基部３２には、押しコイルバネ収納部材１８から連続するくくり用ワイヤー１４が通る引き込み孔３２０と、このくくり用ワイヤー１４の他方の端部が通される固定用孔３２１が形成されている。このくくり用ワイヤー１４の他方の端部を罠用ループ１４ａが拡径するように引くことで、押しコイルバネ１７が収縮する一方、引きコイルバネ３４が引き伸ばされてそれぞれのバネに付勢力が与えられる。
【００４３】
滑車３０１は、滑車枠部３０２に形成されたスリット部３０３（図１２参照）に位置して筒状本体３１の筒方向へ支持された軸部材３１０、本形態例ではボルトとナット、によって保持されている。
【００４４】
滑車枠部３０２は、図１２及び図１３に示すように矩形板状に形成され、筒状本体３１に沿った厚み部分にくくり用ワイヤー１４を滑車３０１に導いて掛け回すための溝３０４、３０４が形成されている。それらの溝３０４は滑車枠部３０２をレール状に抉るように形成され、筒状本体３１の内面によってくくり用ワイヤー１４の移動範囲を規制している。そして、滑車枠部３０２も、これらの溝３０４の縁部に形成された２列の内接部３０５によって筒状本体３１内の長手方向の移動が案内される。すなわち、図１３に示すように、滑車枠部３０２の横幅と筒状本体３１の内径とは略等しく形成され、径方向（上下方向）へ動く余地がないので、筒状本体３１の内径の最も大きい位置で常に滑車枠部３０２が筒状本体３１内を長手方向へ移動することになる。これにより、動滑車３０が筒状本体３１内を長手方向へスムースに移動できる。
【００４５】
滑車枠部３０２は、図１２に示すように、他方端基部３３側にワイヤー状の内部連結部材３４１を介して後述する引きコイルバネ３４が連結されている。本形態例では固定具３１１としてボルトとナットで内部連結部材３４１が固定されている。
【００４６】
引きコイルバネ３４は、動滑車３０と他方端基部３３との間で筒状本体３１の内部に配され、図１０及び図１１に示すように、引っ張り状態から縮む際に動滑車３０を介してくくり用ワイヤー１４を筒状本体３１の内部へ引き込むことで罠用ループ１４ａをくくるように作動する。これによれば、動滑車３０の作用によってくくり用ワイヤー１４を素早く引いて罠用ループ１４ａのくくりスピードを高めることができる。本形態例では、従来の押しコイルバネ１７のみの場合と比較して、倍のスピードでくくることが可能になった。従って、くくり時間を短縮でき、より確実に獣を捕獲することができる。
【００４７】
また、この引きコイルバネ３４は、獣足をくくった後にも伸び縮みが可能なので、あばれる獣の動きを受け止めるクッションの働きをする。これにより押しコイルバネ１７などのくくり罠の各構成部材が傷まないだけでなく、獣を痛めることが少ない。なお、引きコイルバネ３４はゴムなどの弾性体で代用することが可能であり、複数本備えることも可能である。
【００４８】
本発明に係るくくり罠は、上述の形態例のように、掘削された土中に埋められる枠状に設けられた本体外枠１３と、本体外枠１３の内周にすり合わせ状態で嵌まって上下方向へ移動可能に枠状に設けられると共に内部に踏み板４が固定されて設けられ、上部外周が、罠を設置するときにはくくり用ワイヤー１４が押しコイルバネ１７の力に抗して罠用ループ１４ａを作るように嵌められた状態に保持される部位になると共に、踏み板４が踏み込まれることに伴って下降したときにはくくり用ワイヤー１４が本体外枠１３の上端面によって下降を阻止されて外れる部位になるように設けられている本体中枠３とを具備してもよい。
【００４９】
上述のとおり、本発明に係るくくり罠の形態例は、締付部材１５と一方端基部３２との間でくくり用ワイヤー１４が通されて配され、圧縮状態から伸びる際に罠用ループ１４ａをくくるように締付部材１５を押圧する押しコイルバネ１７と、動滑車３０と他方端基部３３との間で筒状本体３１の内部に配され、引っ張り状態から縮む際に動滑車３０を介してくくり用ワイヤー１４を筒状本体３１の内部へ引き込むことで罠用ループ１４ａをくくるように作動する引きコイルバネ３４とを具備する。これにより、従来の押しコイルバネ１７が罠用ループ１４ａをくくるために必要とされた強力かつ長いバネを不要とすることができる。このためくくり罠の取扱を誤ってバネの力で怪我をすることがない。
【００５０】
そして、動滑車３０を採用したことにより、くくり用ワイヤー１４を単に引きコイルバネ３４で引き寄せる速度の倍の速度で引き寄せることが可能となり、素早いくくりが可能になった。これにより、罠を獣が踏んで踏み板４が下降を起こした際に機敏に反応する獣にも対応することができる。また、必要以上に高い位置で獣足をくくることを不要とすることができる。さらに、押しコイルバネ収納部材１８と引きコイルバネ３４が収納される筒状本体３１との２分割構造とすることにより、持ち運びが容易で便利となるだけでなく、土中での設置の自由度が高まり、土を深く掘る必要がなく、従来の形態では設置しにくかった場所での設置も容易になる。なお、押しコイルバネ収納部材１８と引きコイルバネ３４が収納される筒状本体３１とを一体に形成することも可能である。
【００５１】
次に、本発明に係るくくり罠について、その組み込み形態及び現場での設置方法やセット方法について、図面に基づいて説明する。
まず、図１〜４に基づいて本発明に関連するくくり罠の形態例による組み込み形態及び現場での設置方法やセット方法について説明する。
図１は、罠全体の分解した状態を示す斜視図であり、点線で囲ったＡ内は、撥ね上げくくり部の組み上がりを示す斜視図である。
本発明に係るくくり罠の形態例は、罠体を径の異なる筒状の部材２個で作成し、本体中枠３の外側上部に装着されたくくり用ワイヤー１４が固定された本体外枠１３の中を下がる事によりくくり用ワイヤー１４が本体外枠１３の上端面によって本体中枠３から外れ、その本体中枠３を踏み落とした獣足をくくり用ワイヤー１４でくくることができる装置である。
【００５２】
また、本発明に係るくくり罠の形態例は、くくり用ワイヤー１４を上部覆い材１で保護し、くくり部先端跳ね上げ２部材を設け、くくり用ワイヤー１４の撥ね上がり時に起こるくくり用ワイヤー１４の先端の垂れ下がりを少なくし、獣足をくくるくくり部（罠用ループ１４ａ）を締付部材用案内部材１６により高所に導き、獣の体重移動を利用し獣足を一気に落下させ捕獲の確実性を飛躍的に向上させたくくり罠になっている。
【００５３】
本発明に係るくくり罠の形態例の設置方法は、先ず図２に示すように、各部材６〜１１の部材を取り付けた本体外枠１３を獣道に布設する。このとき、本体外枠１３を、獣が残した足跡に合わせて掘削する。また、押しコイルバネ収納部１８についても、本体外枠１３に対し適度な角度に収まるように地面を掘削する。そして、掘削箇所に本体外枠１３及び押しコイルバネ収納部１８を沈め、獣道よりほんの僅か下げてしっかりと固定する。
【００５４】
次に、図３に示すように本体中枠３及びこれに付随して一体化した部材２、４、５を、本体外枠１３内に収める。上部覆い材１は、本体中枠３の踏み板４の上に真ん中を置き、中に土を入れて固め踏み板４より本体中枠３いっぱいにつめ、周囲が罠の上部全体より大きく覆うようにする。この時点でくくり用ワイヤー１４は、本体中枠３の周囲に装着する。締付部材１５と締付部材用案内部材１６にワイヤー状のくくり用ワイヤー１４を通し、締付部材用案内部材１６をスプリング状の押しコイルバネ１７の中に入れて押しコイルバネ収納部材１８に収める（図１を参照）。なお、くくり用ワイヤー１４は、本形態例の場合、その後端をくくり用ワイヤー固定部材１９によって押しコイルバネ収納部材１８の下端から抜けないように固定する。
【００５５】
次に、図４に示すように、獣道に固定した本体外枠１３に、本体中枠３を合わせた状態でさらに沈める。くくり用ワイヤー１４の罠用ループ１４ａが、本体中枠３の上端部まで達するまで、そのまま本体中枠３を静かに下げ、本体外枠上部保護材１２の高さに合わせる。同時に押しコイルバネ収納部材１８も慎重に本体外枠１３に添えて設置する。設置されたら、本体外枠１３の周囲及び押しコイルバネ収納部材１８の周りを、埋め戻して整理して周囲を僅か平らにし、本体外枠上部保護材１２の外部に沿って上部覆い材１を切り取り、辺りをカムフラージュして設置完了となる。
【００５６】
次に、本発明に係るくくり罠について、その組み込み形態及び現場での設置方法やセット方法について、図１４に基づいて説明する。
図１４は、本発明に係るくくり罠をセットした状態を示す断面図であり、前述の本発明に関連するくくり罠の形態例と同等の構成に加えて、動滑車３０、筒状本体３１、一方端基部引き３２、他方端基部３３、及びコイルバネ３４などが付加されており、その付加された構成を土中に埋設した状態を示している。これによれば、押しコイルバネ１７を短くすることができ、引きコイルバネ３４を収納した筒状本体３１を水平に置くなど深く設置する必要がない。従って、前述の形態例に比較して土を深く掘って埋める作業を要せず、設置効率が高いものとなっている。
【００５７】
また、本発明に係るくくり罠は、機敏な獣にも対応できるため、本体外枠１３及び本体中枠３を前述した形態例に比べて浅い形態に設定することが可能であり、より浅く、より容易に設置することができる。
そして、本発明に係るくくり罠の構成は、図１４に示したような全体構成から成るくくり罠に限定されるものではなく、他の全体構成から成るくくり罠についても、極めて容易に適用でき、汎用性の高いものになっている。
【００５８】
次に、他の実施例について、図１５〜２０に基づいて詳細に説明する。
４０は基部材であり、くくり用ワイヤー１４の中途部が通されると共にそのくくり用ワイヤーの他方端側の部位１４ｃが保持されるように形成されている。本形態例では、くくり用ワイヤーの通し用の溝部４１が、基部材４０の一端方向（長軸方向）へ開いた溝状に設けられている。また、くくり用ワイヤーの保持用の溝部４２が、基部材４０の通し用の溝部４１が設けられた部位とは反対側の他端の側であって、側面方向（短軸方向）へ開いた溝状に設けられている。
【００５９】
４３はくくり用ワイヤーの仮止め用の蝶ボルトであり、そのボルトの先端がくくり用ワイヤーの通し用の溝部４１の内部へ突き出るように、基部材４０の先端部に通し用の溝部４１の内部まで貫通するように設けられたボルト孔に螺合されている。この仮止め用の蝶ボルト４３をねじ込むことで、通し用の溝部４１の内部を通されたくくり用ワイヤー１４を押え付けて仮に保持することができる。
【００６０】
また、２９ａはくくり用ワイヤーの保持用の蝶ボルトであり、図１７などに示すように抜け止め部材２９にその側面から螺合している。すなわち、保持用の蝶ボルト２９ａは、そのボルトの先端が抜け止め部材２９の内部に突き出るように、抜け止め部材２９の側面に貫通するように設けられたボルト孔に螺合されている。この保持用の蝶ボルト２９ａをねじ込むことで、くくり用ワイヤー１４に圧接して、そのくくり用ワイヤー１４に抜け止め部材２９固定することができる。これによれば、くくり用ワイヤーの保持用の溝部４２の内部に通されたくくり用ワイヤー１４が、抜け止め部材２９によって基部材４０から抜けないように保持された状態となり、くくり動作がなされるときに、そのくくり用ワイヤー１４を適切に引くことができる。
【００６１】
４１ａは押しコイルバネ収納部材１８を受けるための凹部（図１６参照）であり、押しコイルバネ収納部材の後端部１８ａが当接すると共に浅く嵌って保持され、その後端部１８ａの横滑りが抑制される。
４２ａは抜け止め部材２９を受けるための凹部（図１６参照）であり、基部材４０の一面側に設けられくくり用ワイヤー保持用の抜け止め部材２９が当接すると共に浅く嵌って保持され、その抜け止め部材２９の横滑りが抑制される。
【００６２】
３０は動滑車３０であり、くくり用ワイヤー１４が、基部材４０を通過する部位から他方端側の部位１４ｃの間において掛け回されている。この動滑車３０は、滑車３０ａが滑車保持部３０ｂに回転自在に装着されて構成されている。
【００６３】
図１７〜２０に示した押しコイルバネ収納部材１８には、前記形態例と同様に、締付部材１５と基部材４０との間でくくり用ワイヤー１４が通されて配され、圧縮状態から伸びる際に罠用ループ１４ａをくくるように締付部材１５を押圧する押しコイルバネ１７（前記形態例を参照）が収納されている。
【００６４】
５０はトーションバネであり、動滑車３０を、罠用ループ１４ａがくくられる方向へ移動させるように、基部材４０から離れる方向へ付勢する動滑車移動用の弾性部材の形態例を構成している。この動滑車移動用の弾性部材（トーションバネ５０）によれば、動滑車３０を好適に稼働させることができるため、罠用ループ１４ａをくくる動作の速度を格段に高めることができる。すなわち、動滑車３０の動作によって、その動滑車３０が動滑車移動用の弾性部材によって移動する距離の倍に相当する長さについて、くくり用ワイヤー１４が引かれることになり、そのくくり速度を倍にすることができる。また、このトーションバネ５０を用いる構成によれば、後述するように、くくり罠を容易にセットできる。すなわち、従来の強力な一本のコイルバネによってくくり動作を行うものに比較して、本形態例の押しコイルバネ１７及びトーションバネ５０は弾性力の小さいものでよく、安全且つ容易に取り扱うことができる。
【００６５】
また、本形態例のトーションバネ５０はバネ線材の中途部をつる巻き状に形成されて設けられ、そのバネ線材の一端部５１に基部材４０が装着されて設けられ、そのバネ線材の他端部５２に動滑車３０が装着されて設けられている。このトーションバネ５０によって構成されるくくりを高速化するための機構（トーションバネによる動滑車機構）は、簡単な構造であり、安価に提供できると共に耐久性の高いものになっている。なお、バネ線材の中途部に形成されているつる巻き状の形態は、一巻きになっている。これは、一巻きの方が、複数巻きにした場合よりも強い反発力を得られやすく、くくり速度を高めることができるためである。
【００６６】
次に、以上に説明したトーションバネによる動滑車機構（図１５及び１６参照）を備えるくくり罠の形態例の使用方法（くくり罠のセットにかかる作業手順の事例）について、図１７〜２０に基づいて詳細に説明する。
先ず、図１７に示すように、罠本体６０に罠用ループ１４ａを形成し、押しコイルバネ収納部材１８を介して押しコイルバネ１７（前記形態例を参照）を圧縮する。その圧縮状態を押しコイルバネ収納部材１８を介して維持するために、その押しコイルバネ収納部材の後端部１８ａに抜け止め部材２９を当接させ、その抜け止め部材２９を保持用の蝶ボルト２９ａによってくくり用ワイヤー１４に仮に固定する。
【００６７】
次に、図１８に示すように、基部材４０を押しコイルバネ収納部材の後端部１８ａに当接させるように、くくり用ワイヤー１４を基部材４０の通し用の溝部４１に通すように嵌め込むことで、基部材４０をセットする。この工程では、押しコイルバネ１７（前記形態例を参照）の圧縮をさらに圧縮できる範囲を若干残して抜け止め部材２９によって仮に保持・固定しておき、その抜け止め部材２９とコイルバネ収納部材の後端部１８ａとの間に基部材４０をこじ入れるようにするとよい。これにより、くくり用ワイヤー１４の中途部が基部材４０を通る状態となる。なお、この際に、押しコイルバネ収納部材の後端部１８ａは、基部材４０の凹部４１ａの内底面に当接してその内部に嵌った状態となり、安定的に位置される。
そして、保持用の蝶ボルト２９ａの螺合を緩め、抜け止め部材２９による仮の固定を解除する。これによって、抜け止め部材２９がくくり用ワイヤー１４に沿って自由に移動できる状態となる。
【００６８】
次に、図１９に示すように、くくり用ワイヤー１４を滑車３０ａに掛け回し、くくり用ワイヤー１４を保持するための保持用の溝部４２に、そのくくり用ワイヤーの他方端側の部位１４ｃ通し、その保持用の溝４２を挟んで動滑車３０とは反対の側に抜け止め部材２９が配されるようにする。なお、本形態例の抜け止め部材２９は、六角筒状で、その一つの側面から保持用の蝶ボルト２９ａをねじ込むことで、くくり用ワイヤー１４に固定されて抜けないように設けられている。
【００６９】
そして、図２０に示すように、トーションバネ５０を圧縮する。なお、この場合の圧縮された状態とは、バネ線材の一端部５１とバネ線材の他端部５２とが近接するように力を与えて、トーションバネ５０に弾発力が蓄積された状態のことである。
このトーションバネ５０が圧縮された状態を保持するように、抜け止め部材２９を、基部材４０の保持用の溝４２を挟んで動滑車３０とは反対側に当接させた状態で、保持用の蝶ボルト２９ａを締めて固定する。なお、この際に、抜け止め部材２９は、基部材４０の凹部４２ａの内底面に当接してその内部に嵌った状態となり、安定的に位置される。
最後に、くくり用ワイヤーの仮止め用の蝶ボルト４３を緩める。これにより、くくり罠のくくり用ワイヤー１４によるくくり機能がセットされた状態となる。
【００７０】
本形態例の基部材４０では、くくり用ワイヤー１４が通過できるように、くくり用ワイヤーの通し用の溝部４１、及びくくり用ワイヤーの保持用の溝部４２が形成されている。この基部材４０によれば、罠用ループ１４が罠本体６０側の部位から外れてくくり動作が完了した状態である押しコイルバネ１７とトーションバネ５０とが伸びたときに、くくり用ワイヤー１４から、容易に外れる。すなわち、くくり用ワイヤー１４は、通し用の溝部４１及び保持用の溝部４２に嵌っているだけで、トーションバネ５０が圧縮された際の弾発力によってくくり用ワイヤー１４に保持された状態を維持できるが、そのトーションバネ５０の弾発力が開放された際には簡単に外れる状態となる。これによれば、基部材４０やこれに装着されて設けられたトーションバネ５０及び動滑車３０が、その役目を果たした後はくくり用ワイヤー１４とは分離されるため、損傷することがほとんどなく、繰り返し使用でき、経済的であるという利点がある。
【００７１】
なお、本形態例の基部材４０では、以上に説明したように、くくり用ワイヤー１４が通過できるように通し用の溝部４１及び保持用の溝部４２を形成したが、くくり用ワイヤー１４を通すという機能を満たすものとすれば、これに限定されることはない。例えば、溝状の形態に替えて、貫通孔やリング状の形態など、他の形態を採用できることは勿論である。
【００７２】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００７３】
１  上部覆い材  
２  くくり部先端跳ね上げ部材
２ａ  引っかかり部
２ｂ  両端部
３  本体中枠
４  踏み板
５  踏み込み部材    
６  第１の挟み部材
７  第２の挟み部材
８  ボルト
９  スプリング
１０  ワッシャー
１１  ナット
１２  本体外枠上部保護材部
１３  本体外枠
１４  くくり用ワイヤー
１４ａ  罠用ループ
１４ｂ  一端部
１４ｃ  くくり用ワイヤーの他方端側の部位
１５  締付部材
１６  締付部材案内部材
１７  押しコイルバネ
１８  押しコイルバネ収納部材
１８ａ  押しコイルバネ収納部材の後端部
２０  回転作動部材
２９  抜け止め部材
２９ａ  くくり用ワイヤーの保持用の蝶ボルト
３０  動滑車 
３０ａ  滑車
３０ｂ  滑車保持部
３１  筒状本体  
３２  一方端基部
３３  他方端基部
３４  引きコイルバネ
３５  固定部材
４０  基部材
４１  くくり用ワイヤーの通し用の溝部
４１ａ  凹部
４２  くくり用ワイヤーの保持用の溝部
４２ａ  凹部
４３  くくり用ワイヤーの仮止め用の蝶ボルト
５０  トーションバネ
５１  バネ線材の一端部
５２  バネ線材の他端部
６０  罠本体
３０１  滑車
３０２  滑車枠部
３０３  スリット部
３０４  溝
３０５  内接部
３１０  軸部材
３１１  固定具
３３０  外部連結部材用孔
３４０  外部連結部材
３４１  内部連結部材
【図１】
0005432403.tif 000002
【図２】
0005432403.tif 000003
【図３】
0005432403.tif 000004
【図４】
0005432403.tif 000005
【図５】
0005432403.tif 000006
【図６】
0005432403.tif 000007
【図７】
0005432403.tif 000008
【図８】
0005432403.tif 000009
【図９】
0005432403.tif 000010
【図１０】
0005432403.tif 000011
【図１１】
0005432403.tif 000012
【図１２】
0005432403.tif 000013
【図１３】
0005432403.tif 000014
【図１４】
0005432403.tif 000015
【図１５】
0005432403.tif 000016
【図１６】
0005432403.tif 000017
【図１７】
0005432403.tif 000018
【図１８】
0005432403.tif 000019
【図１９】
0005432403.tif 000020
【図２０】
0005432403.tif 000021